(57)【特許請求の範囲】
【請求項１】
電動機を内蔵した本体と、この本体上に設けられた凸部と、前記凸部に嵌着される容器台と、この容器台に嵌着する容器と、前記電動機に直結した下コネクターと、前記容器台が前記本体に嵌着されると前記下コネクターと結合する上コネクターと、前記容器台に軸支されかつ前記上コネクターを介し前記電動機により回転駆動されるカッターとを備え、前記容器台に前記容器を嵌着せずに前記容器台を前記本体に載置しようとした場合に前記凸部と干渉する突起部を有する干渉部品を前記容器台に内蔵し、前記容器を前記容器台に嵌着した場合に前記容器により前記容器台の内底面に備えた中継部品が押し下げられる動作により前記干渉部品が動作し、前記突起部と前記凸部との干渉が解消され、前記容器台が前記凸部に嵌着され前記本体に装着される構成とした電動調理器。
【請求項２】
中継部品を一定距離以上押し下げないと干渉部品が動作しない構成とした請求項１に記載の電動調理器。
【請求項３】
本体上の凸部を複数個配設し、干渉部品は略環状の形状とし、容器台に前記本体上の凸部に対応して複数の突起部を有する請求項１に記載の電動調理器。
【請求項４】
中継部品を複数個設けた請求項１または２に記載の電動調理器。
【請求項５】
電動機を内蔵した本体と、この本体上に設けられた凸部と、前記凸部に嵌着される凹部を有する容器台と、この容器台に嵌着する容器と、前記電動機に直結した下コネクターと、前記容器台が前記本体に嵌着されると前記下コネクターと結合する上コネクターと、前記容器台に軸支されかつ前記上コネクターを介し前記電動機により回転駆動されるカッターとを備え、前記凹部に、前記容器台に前記容器を嵌着せずに前記容器台を前記本体に載置しようとした場合に前記凸部と干渉する突起部を設け、前記容器を前記容器台に嵌着した場合に前記突起部と前記凸部との干渉が解消され、前記凸部に前記凹部が嵌着され前記容器台が前記本体に装着される構成とした電動調理器。
【発明の詳細な説明】
【０００１】
【発明の属する技術分野】
本発明は、主として野菜、果物等を粉砕して液体物と混合させることによりジュ−スをつくるミキサ−の安全性の向上に関するものである。
【０００２】
【従来の技術】
従来のこの種のミキサ−は図７に示すように本体１０１に内蔵した電動機１０２に直結した下コネクタ−１０３と上コネクタ−１０４を介し容器台１０５に軸支されたカッタ−１０６を回転させ容器内の果物・野菜類と液体を切削・粉砕し撹拌する。１０７は本体１０１上に突設され、容器台１０５に設けられたリブ１０８により押されることによりモ−タ−への電源回路を閉じる安全ピンである。
【０００３】
【発明が解決しようとする課題】
しかしながら上記従来の構成では、容器台に容器を装着せず本体上に乗せた場合にも安全ピンが押されるため、カッタ−が外部に露出した状態で回転することがあり危険であるという課題があった。
【０００４】
【課題を解決するための手段】
上記課題を解決するために本発明は、本体上に設けられた凸部と、前記凸部に嵌着される容器台と、この容器台に嵌着する容器と、前記電動機に直結した下コネクターと、前記容器台が前記本体に嵌着されると前記下コネクターと結合する上コネクターと、前記容器台に軸支されかつ前記上コネクターを介し前記電動機により回転駆動されるカッターとを備え、前記容器台に前記容器を嵌着せずに前記容器台を前記本体に載置しようとした場合に前記凸部と干渉する突起部を有する干渉部品を前記容器台に内蔵し、前記容器を前記容器台に嵌着した場合に前記容器により前記容器台の内底面に備えた中継部品が押し下げられる動作により前記干渉部品が動作し、前記突起部と前記凸部との干渉が解消され、前記容器台が前記凸部に嵌着され前記本体に装着される構成としたものである。
【０００５】
上記構成により、容器台に容器を装着していない場合はカッタ−を有する容器台を本体にセットできなくなるため、カッタ−が外部に露出した状態で回転することがなく安全性を向上できるものである。
【０００６】
【発明の実施の形態】
本発明の請求項１に記載の発明は、電動機を内蔵した本体と、この本体上に設けられた凸部と、前記凸部に嵌着される容器台と、この容器台に嵌着する容器と、前記電動機に直結した下コネクターと、前記容器台が前記本体に嵌着されると前記下コネクターと結合する上コネクターと、前記容器台に軸支されかつ前記上コネクターを介し前記電動機により回転駆動されるカッターとを備え、前記容器台に前記容器を嵌着せずに前記容器台を前記本体に載置しようとした場合に前記凸部と干渉する突起部を有する干渉部品を前記容器台に内蔵し、前記容器を前記容器台に嵌着した場合に前記容器により前記容器台の内底面に備えた中継部品が押し下げられる動作により前記干渉部品が動作し、前記突起部と前記凸部との干渉が解消され、前記容器台が前記凸部に嵌着され前記本体に装着される構成としたものである。
【０００７】
これにより、容器台に容器を装着していない場合はカッタ−を有する容器台を本体にセットできなくなるため、カッタ−が外部に露出した状態で回転することがなくなり、安全性を向上できるものである。
【０００８】
また、本発明の請求項２に記載の発明は、中継部品を一定距離以上押し下げないと干渉部品が動作しない構成としたものである。
【０００９】
これにより、容器台に容器を装着していない状態で容器台を無理矢理に押して干渉部品を動作させ本体に嵌着することを防止できる。
【００１０】
また、本発明の請求項３に記載の発明は、本体上の凸部を複数個配設し、干渉部品は略環状の形状とし、容器台に前記本体上の凸部に対応して複数の突起部を有する構成としたものである。
【００１１】
これにより、容器台の本体への嵌着・載置位置数を増やすことができ、使用者の使い勝手を向上できる。
【００１２】
また、本発明の請求項４に記載の発明は、中継部品を複数個設けたものである。
【００１３】
このことにより、中継部品を１個指で押し下げても干渉部品は動作することがなく、容器台を本体に嵌着することはできない。したがって、安全性をさらに向上できる。
【００１４】
また本発明の請求項５に記載の発明は、電動機を内蔵した本体と、この本体上に設けられた凸部と、前記凸部に嵌着される凹部を有する容器台と、この容器台に嵌着する容器と、前記電動機に直結した下コネクターと、前記容器台が前記本体に嵌着されると前記下コネクターと結合する上コネクターと、前記容器台に軸支されかつ前記上コネクターを介し前記電動機により回転駆動されるカッターとを備え、前記凹部に、前記容器台に前記容器を嵌着せずに前記容器台を前記本体に載置しようとした場合に前記凸部と干渉する突起部を設け、前記容器を前記容器台に嵌着した場合に前記突起部と前記凸部との干渉が解消され、前記凸部に前記凹部が嵌着され前記容器台が前記本体に装着される構成としたものである。
【００１５】
これにより、容器台に容器を装着していない場合はカッタ−を有する容器台を本体にセットできなくなるため、カッタ−が外部に露出した状態で回転することがなくなり、安全性を向上できるものである。
【００１６】
【実施例】
以下、本発明の実施例について図面を用いて説明する。
【００１７】
図１から図６において本体１に内蔵した電動機２に直結した下コネクタ−３と上コネクタ−４を介し容器台５に軸支されたカッタ−６を回転させ容器７内の果物・野菜類と液体を切削・粉砕し撹拌する。容器台５の内底面の孔８からは中継部品９のボス１０が突出している。容器７と容器台５はそれぞれに形成されたおねじ１１とめねじ１２により螺合嵌合する。中継部品９は容器台ボス１３にバネ１４、ワッシャ−１５および干渉部品１６を介し座付きネジ１７により固定されている。これにより中継部品９はバネ１４により上方に付勢されるとともにボス１０を押すことにより上下自在に動作することとなる。干渉部品１６は２箇所の長孔１８とワッシャ−１５を容器台ボス１３が通り座付きネジ１７によりネジ締めされるので円周方向に回動・動作する。中継部品９に設けられた突出１９は干渉部品１６に設けられたクランク状のスリット２０にはまり込む。
【００１８】
容器台５に容器７を嵌着せずに容器台５を本体１上に形成された凸部２１に載置しようとした場合において、凸部２１は容器台５裏面に１２等分に配設されたリブ２２の間に嵌合することとなるが干渉部品１６に設けられた突起部２３により邪魔され装着することができない。容器７を容器台５に嵌着した場合においては容器底面２４によりボス１０が押され中継部品９が下方に動作する。この下方への動作は中継部品９の突出１９と干渉部品１６に設けられたスリット２０により干渉部品１６の円周方向への回動動作へと変換され突起部２３は凸部２１と干渉しない位置まで回動する。これにより容器台５は本体１上に載置可能となり下コネクタ−３と上コネクタ−４が結合されカッタ−６は電動機２の動力にて回転可能となる。したがって、前述したとうり容器７を容器台５に装着しない限りは容器台５を本体１に載置することができずカッタ−６が外部に露出したまま回転することは無い。よって、使用者が誤って回転するカッタ−に手を触れ怪我をするということを防止でき安全性を著しく向上できる。
【００１９】
容器台５に装着した容器７を本体１から外し、容器７を容器台５から取り外すとバネ１４の付勢力により突起部２３は回動し再び凸部２１と干渉する位置までもどる。
【００２０】
干渉部品１６のスリット２０にはストレ−ト部２５を設けている。中継部品９の突出１９はストレ−ト部２５の区間は下方に動いても干渉部品１６は円周方向への回動・動作はしない。したがって、容器台５へ容器７を装着せずに容器台５を本体１上の凸部２１上に置き、上から押して無理矢理に載置させようとした場合、干渉部品１６の突起部２３は凸部２１に押されても回動しないので容器台５は本体１へ嵌着しない。したがって、安全性をより向上できる。
【００２１】
また、本体１上の凸部２１を１２０°ピッチにて３等分に３個設けている。また、それに対応し容器台５のリブ２２と干渉部品１６の突起部２３を３０°ピッチにて１２等分に１２個設けている。したがって、使用者は容器台５付きの容器７を１２パタ−ンにて本体１上に載置させることができ、容器７の把手の位置や、右きき・左ききなどの制約を気にすることなく全方位から本体１に容器７を載せることができる。よって使い勝手が向上し商品性を高めることが可能となる。
【００２２】
また、干渉部品１６のスリット２０にストレ−ト部２５を設けるとともに中継部品９を２個設け、対応するスリット２０およびストレ−ト部２５も２個設けている。これにより中継部品９のボス１０を１本指で押し下げようとしても他方の中継部品９の突出１９がストレ−ト部２５により規制を受け干渉部品１６は回動・動作しない。したがって干渉部品１６の突起部２３は容器台５と凸部２１との嵌着を邪魔する位置から動かない。よって本体に容器台５を載置することはできない。これにより使用者の異常使用による危険を防ぐことをより確実に防ぐことができ安全性をさらに向上させることができる。
【００２３】
【発明の効果】
請求項１に記載の発明によれば、容器台に容器を装着していない場合はカッタ−を有する容器台を本体にセットできないようになるため、カッタ−が外部に露出した状態で回転することがなく安全性を向上させることができる。
【００２４】
請求項２に記載の発明によれば、容器台に容器を装着していない場合はカッタ−を有する容器台を本体にセットできないようになるため、カッタ−が外部に露出した状態で回転することがなく安全性を向上させることができるとともに、容器台に容器を装着していない状態で容器台を無理矢理に押して干渉部品を動作させ本体に嵌着することを防止するができ安全性をより向上させることができる。
【００２５】
請求項３に記載の発明によれば、容器台に容器を装着していない場合はカッタ−を有する容器台を本体にセットできないようになるため、カッタ−が外部に露出した状態で回転することがなく安全性を向上させることができるとともに、容器台の本体への嵌着・載置位置数を増やすことができ使用者の使い勝手を向上させることができる。
【００２６】
請求項４に記載の発明によれば、容器台に容器を装着していない場合はカッタ−を有する容器台を本体にセットできないようになるため、カッタ−が外部に露出した状態で回転することがなく安全性を向上させることができるとともに、容器台に容器を装着していない状態で容器台を無理矢理に押して干渉部品を動作させ本体に嵌着することを防止するができ安全性をより向上させることができる。さらに、中継部品を１個指で押し下げても干渉部品は動作することがなく容器台を本体に嵌着することはできない。したがって、安全性をさらに向上させることができる。
【００２７】
請求項５に記載の発明によれば、容器台に容器を装着していない場合はカッタ−を有する容器台を本体にセットできないようになるため、カッタ−が外部に露出した状態で回転することがなく安全性を向上させることができる。
【図面の簡単な説明】
【図１】  本発明の実施例の電動調理器における容器を容器台に装着し本体上に載置した要部断面図
【図２】  同電動調理器の容器台のみを本体上に載置した要部断面図
【図３】  同電動調理器の容器台の下面分解斜視図
【図４】  同電動調理器の容器台の斜視図
【図５】  同電動調理器の容器、容器台、本体の装着を示す分解斜視図
【図６】  同電動調理器の容器台の下面図
【図７】  従来のミキサ−の要部断面図
【符号の説明】
１  本体
２  電動機
５  容器台
６  カッタ−
７  容器
９  中継部品
１６  干渉部品
２１  凸部
２３  突起部
【図１】
0003708404.tif 000002
【図２】
0003708404.tif 000003
【図３】
0003708404.tif 000004
【図４】
0003708404.tif 000005
【図５】
0003708404.tif 000006
【図６】
0003708404.tif 000007
【図７】
0003708404.tif 000008